(57)【要約】【課題】  机の表面に蓋体と同じサイズの開口を設ることができる昇降装置を提供する。【解決手段】収納部を具えた本体と、昇降装置と、ベースと、両側に側面板を具えた蓋体と、連動反転手段とを含み、連動反転手段は収納部の両側に設けて対向する側面にそれぞれ設けた凸板と、本体の内部に設けて両端がガイド溝に挿設された横桿と、一端が該横桿に接続し、中央にフックを設けた第一接続桿と、収納部の上方の側面にそれぞれ設けて蓋体をガイドする移動溝を具えたガイド板と、一端が蓋体の側面板に回動自在に接続して移動溝に挿設され、蓋体が移動溝の動きに合わせて反転して移動する第二接続桿と、一端が第一接続桿に回動自在に接続し、他端が第二接続桿に回動自在に接続した中間部材と、第一接続桿と中間部材との間に設けられ、一端がフックに回動自在に接続し、他端が中間部材に回動自在に接続して横桿を上方に移動させる弾性部材とを含んでなる。【選択図】図２
0003127210.tif 000002
【実用新案登録請求の範囲】
【請求項１】
収納部を具えた本体と、昇降装置と、ベースと、両側に側面板を具えた蓋体と、連動反転手段とを含んでなり、
該連動反転手段は、収納部の両側に設けられ、長手方向に垂直な対向する側面にそれぞれ設けられた凸板と、本体の内部に長手方向に設けられ、両端がガイド溝に挿設された横桿と、
一端が該横桿に接続し、中央にフックを設けてなる第一接続桿と、
収納部の上方の長手方向に垂直な側面にそれぞれ設けられ、蓋体の移動をガイドする移動溝を具えてなるガイド板と、
一端が蓋体の側面板に回動自在に接続されるとともに、移動溝に挿設され、蓋体が移動溝の動きに合わせて反転して移動する第二接続桿と、
一端に第一接続桿を回動自在に接続し、他端に第二接続桿を回動自在に接続してシーソーのように移動する中間部材と、
第一接続桿と中間部材との間に設けられ、一端がフックに回動自在に接続し、他端が中間部材に回動自在に接続して横桿を上方に移動させる力を発生させる弾性部材とを含んでなり、
蓋体を閉じる場合、先に反転させてから垂直に上昇させて蓋を合わせるか、もしくは蓋体を開く場合、先に垂直に降ろしてから反転させるため、机の表面に大きな孔を設ける必要がなく、机の美観を損ねることがない構造からなることを特徴とする昇降装置。
【請求項２】
前記移動溝が蓋を反転させる反転曲線を具えてなることを特徴とする請求項１に記載の昇降装置。
【考案の詳細な説明】
【技術分野】
【０００１】
この考案は、昇降装置に関し、特にデスクトップ型のモニタを上下に昇降させることができる昇降装置に関する。
【背景技術】
【０００２】
オフィスや家庭のほとんどはコンピュータの使用する場合、机の上にモニタを設けてコンピュータのデータを表示している。技術の進歩に伴い、卓上の限られた空間を有効に利用するため、机の下にコンピュータのモニタを上下に昇降させる装置を設けて、コンピュータを使用する場合にのみ該モニタを上方に移動させて、コンピュータを使用しない場合には下降させる方法がとられるようになった。従来のデスクトップモニタの昇降装置を図１に開示する。
【０００３】
図面によれば、従来の昇降装置１００は、箱体１０１と、駆動モータ１０２と、昇降装置１０３と、蓋体１０４とを含んでなる。
【０００４】
該箱体１０１は机表面２００の下方に設けられ、内部に中空の収納部１０１ａと、机表面２００に接触する上面に開口１０１ｂとを設けてなる。該駆動モータ１０２は収納部１０１ａの内部に回動自在に設けられ、時計回り、或いは反時計回りに回転する。該昇降装置１０３は箱体１０１の内部に固定して設けられ、該駆動モータ１０２と電気的に接続して上下にモニタを移動させるとともに、ベース１０３ａを具えてなる。該ベース１０３ａはコンピュータのモニタ３００を固定する。該蓋体１０４は箱体１０１の開口１０１ｂに蓋をするように設けられ、コンピュータのモニタ３００の昇降に合わせて蓋を開閉する。
【０００５】
上述の昇降装置は、コンピュータのモニタを収納すると同時に卓上の空間を有効に利用するという目的を達成するが、改良しなけれならない点もあった。机の板が厚さを具え、モニタを上昇させる場合に、机との間に距離が生じることを防ぐため、該昇降装置を組み立てる場合、机の上に箱体のサイズに合わせた孔を形成しなければならない。しかしながら、机の上の孔が大くなるため、机の美観を損なうだけでなく、昇降装置の設置にも不便である。
【考案の開示】
【考案が解決しようとする課題】
【０００６】
この考案は、机の表面に設ける孔が大きすぎることがない昇降装置を提供することを課題とする。
【課題を解決するための手段】
【０００７】
そこで本考案者は、従来の技術に鑑み鋭意研究を重ねた結果、収納部を具えた本体と、昇降装置と、ベースと、両側に側面板を具えた蓋体と、連動反転手段とを含んでなり、
該連動反転手段は、収納部の両側に設けられ、長手方向に垂直な対向する側面にそれぞれ設けられた凸板と、本体の内部に長手方向に設けられ、両端がガイド溝に挿設された横桿と、
一端が該横桿に接続し、中央にフックを設けてなる第一接続桿と、
収納部の上方の長手方向に垂直な側面にそれぞれ設けられ、蓋体の移動をガイドする移動溝を具えてなるガイド板と、
一端が蓋体の側面板に回動自在に接続されるとともに、移動溝に挿設され、蓋体が移動溝の動きに合わせて反転して移動する第二接続桿と、
一端に第一接続桿を回動自在に接続し、他端に第二接続桿を回動自在に接続してシーソーのように移動する中間部材と、
第一接続桿と中間部材との間に設けられ、一端がフックに回動自在に接続し、他端が中間部材に回動自在に接続して横桿を上方に移動させる力を発生させる弾性部材とを含んでなり、
蓋体を閉じる場合、先に反転させてから垂直に上昇させて蓋を合わせるか、もしくは蓋体を開く場合、先に垂直に降ろしてから反転させるため、机の表面に大きな孔を設ける必要がなく、机の美観を損ねることがない構造からなる昇降装置の構造によって課題を解決できる点に着眼し、係る知見に基づき本考案を完成させた。
以下、この考案について具体的に説明する。
【０００８】
請求項１に記載する昇降装置は、収納部を具えた本体と、昇降装置と、ベースと、両側に側面板を具えた蓋体と、連動反転手段とを含んでなり、
該連動反転手段は、収納部の両側に設けられ、長手方向に垂直な対向する側面にそれぞれ設けられた凸板と、本体の内部に長手方向に設けられ、両端がガイド溝に挿設された横桿と、
一端が該横桿に接続し、中央にフックを設けてなる第一接続桿と、
収納部の上方の長手方向に垂直な側面にそれぞれ設けられ、蓋体の移動をガイドする移動溝を具えてなるガイド板と、
一端が蓋体の側面板に回動自在に接続されるとともに、移動溝に挿設され、蓋体が移動溝の動きに合わせて反転して移動する第二接続桿と、
一端に第一接続桿を回動自在に接続し、他端に第二接続桿を回動自在に接続してシーソーのように移動する中間部材と、
第一接続桿と中間部材との間に設けられ、一端がフックに回動自在に接続し、他端が中間部材に回動自在に接続して横桿を上方に移動させる力を発生させる弾性部材とを含んでなり、
蓋体を閉じる場合、先に反転させてから垂直に上昇させて蓋を合わせるか、もしくは蓋体を開く場合、先に垂直に降ろしてから反転させるため、机の表面に大きな孔を設ける必要がなく、机の美観を損ねることがない構造からなる。
【０００９】
請求項２に記載の昇降装置は、請求項１における移動溝が蓋を反転させる反転曲線を具えてなる。
【考案の効果】
【００１０】
この考案の昇降装置は、机の表面に蓋体と同じサイズの開口を設けるため、机の美観を損ねることがないという効果を有する。
【考案を実施するための最良の形態】
【００１１】
この考案は、机の表面に設ける孔が大きすぎることがない昇降装置であって、収納部を具えた本体と、昇降装置と、ベースと、両側に側面板を具えた蓋体と、連動反転手段とを含んでなり、
該連動反転手段は、収納部の両側に設けられ、長手方向に垂直な対向する側面にそれぞれ設けられた凸板と、本体の内部に長手方向に設けられ、両端がガイド溝に挿設された横桿と、
一端が該横桿に接続し、中央にフックを設けてなる第一接続桿と、
収納部の上方の長手方向に垂直な側面にそれぞれ設けられ、蓋体の移動をガイドする移動溝を具えてなるガイド板と、
一端が蓋体の側面板に回動自在に接続されるとともに、移動溝に挿設され、蓋体が移動溝の動きに合わせて反転して移動する第二接続桿と、
一端に第一接続桿を回動自在に接続し、他端に第二接続桿を回動自在に接続してシーソーのように移動する中間部材と、
第一接続桿と中間部材との間に設けられ、一端がフックに回動自在に接続し、他端が中間部材に回動自在に接続して横桿を上方に移動させる力を発生させる弾性部材とを含んでなり、
蓋体を閉じる場合、先に反転させてから垂直に上昇させて蓋を合わせるか、もしくは蓋体を開く場合、先に垂直に降ろしてから反転させるため、机の表面に大きな孔を設ける必要がなく、机の美観を損ねることがない構造からなる。
係る構成の昇降装置について、その構造と特徴を詳述するために具体的な実施例を挙げ、以下に説明する。
【実施例】
【００１２】
図２は、この考案の斜視図を示したものであり、図３は、この考案の説明図を示したものである。図面によれば、この考案の昇降装置は、本体１と、昇降装置２と、ベース３と、蓋体４と、連動反転手段５とを含んでなる。
【００１３】
該本体１は、机１０の下に設けられ、中空の収納部１１と、該机１０の表面に接触する上面に形成された開口１２とを具えてなる。該昇降装置２は本体１の内部に設けられ、昇降させる主軸部２１と、該主軸部２１を駆動して昇降させる駆動モータ２２とを組み合わせてなる。該ベース３は、主軸部２１上に固定して設けられ、且つコンピュータのモニタ２０を固定して設けて主軸部２１が上下に昇降する動作に合わせて移動する。該蓋体４は、両側に垂直に側面板４１を設けてなるとともに、本体１が机１０の表面板の底面に接触する上面よりも高い位置に設けられるため、机１０に形成された孔１１０と同じ高さで本体１に蓋をすることができる。この考案の昇降装置におけるその他の基本的な構造と各部材間の接続関係は従来の昇降装置と同じであるため、ここでは詳述せず、改善した部分のみを以下に説明する。
【００１４】
該連動反転手段５は、収納部１１の両側に設けられ、長手方向に垂直な対向する側面にそれぞれ設けられた凸板５１と、横桿５２と、第一接続桿５３と、ガイド板５４と、第二接続桿５５と、中間部材５６と、弾性部材５７とを含んでなる。
【００１５】
該凸板５１は、収納部１１の下方に設けられ、横桿５２を上下に移動するようにガイドするガイド溝５１１を具えてなる。該横桿５２は、本体１の内部に長手方向に設けられ、両端がガイド溝５１１に挿設される。該第一接続桿５３は一端が該横桿５２に接続し、中央にフック５３１を設けてなる。該ガイド板５４は収納部１１の上方の長手方向に垂直な側面にそれぞれ設けられ、蓋体４の移動をガイドする移動溝５４１を具えてなる。該移動溝５４１は蓋体４を反転させる反転曲線５４１１を具えてなる。該第二接続桿５５は一端が蓋体４の側面板４１に回動自在に接続されるとともに、移動溝５４１に挿設され、蓋体４が移動溝５４１の動きに合わせて反転して移動する。該中間部材５６は一端に第一接続桿５３を回動自在に接続し、他端に第二接続桿５５を回動自在に接続してシーソーのように移動する。該弾性部材５７は、第一接続桿５３と中間部材５６との間に設けられ、一端がフック５３１に回動自在に接続し、他端が中間部材５６に回動自在に接続して横桿５２を上方に移動させる力を発生させる。
【００１６】
よって、この考案は蓋体４を閉じる場合、先に反転させてから垂直に上昇させて蓋を合わせるか、もしくは蓋体４を開く場合、先に垂直に降ろしてから反転させるため、机の表面に大きな開口を設ける必要がなく、机の美観を損ねることがない。
【００１７】
図２から４に開示するように、コンピュータのモニタ２０を下降させて、モニタ２０が予め設定した高さに達すると、ベース３が下方に押し圧されて本体の横桿５２に横方向に設けられる。この時、横桿５２がガイド溝５１１に沿って移動するとともに、第一接続桿５３が下方向に移動する。
【００１８】
該第一接続桿５３が下方向に移動すると、中間部材５６の第一接続桿５３に接続する一端が本体１の側面の下方向に移動する。また、該中間部材５６はシーソーのように動くため、中間部材５６の第二接続桿５５に回動自在に接続した他端が移動溝５４１に沿って本体１の側面の上方に移動する。この時、該第二接続桿５５と回動自在に接続した蓋体４も移動溝５４１に沿って移動して反転され、垂直に上昇して机１０上の孔１１０の中で蓋が閉じられる。
【００１９】
図２から図５に開示するように、コンピュータのモニタ２０を上昇させると、ベース３が横桿５２から離れるに従って、横桿５２を下方向に押し圧する力がなくなり、第一接続桿５３と中間部材５６との間の弾性部材５７の回復力で第一接続桿５３と横桿５２がガイド溝５１１に沿って本体１の上方に移動する。
【００２０】
該第一接続桿５３が上方に移動すると、中間部材５６の一端も上方に移動する。同時に中間部材がシーソーの原理を利用しているため、中間部材５６の第二接続桿５５に回動自在に接続した他端が第二接続桿５５が移動溝５４１に沿って移動するとともに、下方向に移動する。よって、第二接続桿５５に回動自在に接続する蓋体４も移動溝５４１に沿って移動し、垂直に下降した後、反転して本体１の内部に収納される。このため、この考案では机１０の表面に蓋体４と同じサイズの開口を設けるだけでよく、従来の昇降装置のように蓋体よりも大きい開口を設けて机の美観が損なわれる、という問題を解決することができる。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２２】
【図１】従来の昇降装置の構造を示した説明図である。
【図２】この考案の昇降装置の構造を示した斜視図である。
【図３】この考案の昇降装置を設けた状態を示した説明図である。
【図４】この考案の昇降装置の作動する状態を示した説明図である。
【図５】この考案の昇降装置の作動する状態を示した説明図である。
【符号の説明】
【００２３】
１ 本体
１０ 机
１００ 昇降装置
１０１ 箱体
１０１ａ 収納部
１０１ｂ 開口
１０２ 駆動モータ
１０３ 昇降装置
１０３ａ ベース
１０４ 蓋体
１１ 収納部
１１０ 孔
１２ 開口
２ 昇降装置
２０ モニタ
２００ 机表面
２１ 主軸部
２２ 駆動モータ
３ ベース
３００ モニタ
４ 蓋体
４１ 側面板
５ 連動反転機構
５１ 凸板
５１１ ガイド溝
５２ 横桿
５３ 第一接続桿
５３１ フック
５４ ガイド板
５４１ 移動溝
５４１１ 反転曲線
５５ 第二接続桿
５６ 中間部材
５７ 弾性部材
【図１】
0003127210.tif 000003
【図２】
0003127210.tif 000004
【図３】
0003127210.tif 000005
【図４】
0003127210.tif 000006
【図５】
0003127210.tif 000007